(57)【要約】      （修正有）【課題】成形上や取付け上のばらつきに起因してパネルの挿入孔に対しスイッチが本来の位置がいずれの方向にずれてもスイッチを挿入孔に挿入してこれら間の空隙を覆うことができるカバー部材を確実に係止可能な電子機器装置を提供する。【解決手段】パネル１の挿入孔１ａをスイッチ２がずれても挿入可能な大きさとする。スイッチ２は、この挿入部２ｂから外側に突出した係止突起２ｃを設ける。挿入孔１ａとスイッチ２との間隙には、カバー部材３を挿入し、この外側カバーで第１調整用間隙をパネル１の表面側から覆うとともに、係止片３ｂに設けた複数の係止突起３ｃのいずれかをスイッチ２の係止突起２ｃにパネル１の厚さ方向へ調整してから係止させ、外側カバー部３ａのパネル１への係止とで確実に固定するようにした。【選択図】  図１
2004281876.tif 000002
【特許請求の範囲】
【請求項１】
電子部品が取り付けられたシャシと、
前記シャシの表面側に取り付けられ、第１挿入孔が形成されたパネルと、
前記第１挿入孔に挿入される挿入部を有し、前記パネルの裏面側で前記パネル側または前記シャシ側に取付けられる挿入孔突出部品と、
前記第１挿入孔と前記挿入部との間に形成された空隙に挿入され、前記パネルの表面側に係止される第１係止部、前記第１係止部から突出して前記第１挿入孔を貫通し、前記第１挿入孔の周壁との間に前記パネルの面方向の第１調整用空隙を形成し、内部に前記挿入部が挿入可能な第２挿入孔が形成されるとともに、前記パネルの厚さ方向に沿う複数位置のいずれかの選択位置で前記パネル側、前記挿入孔突出部品側、前記シャシ側のうちの一つに設けられた被係止部に係止される第２係止部、前記第１係止部側に設けられて前記第１調整用空隙を覆う外側カバー部を有するカバー部材とを備えたことを特徴とする電子機器装置。
【請求項２】
前記被係止部と前記第２係止部とが係止突起同士、または係止突起と係止穴とで係止可能であり、前記被係止部と前記第２係止部とのうちの少なくとも一方が前記パネルの厚さ方向に沿う複数の係止突起または複数の係止穴を備えたことを特徴とする請求項１に記載の電子機器装置。
【請求項３】
前記外側カバー部が、前記パネルに接触することを特徴とする請求項１又は請求項２に記載の電子機器装置。
【請求項４】
電子部品が取り付けられたシャシと、
前記シャシの表面側に取り付けられ、第１挿入孔が形成されたパネルと、
前記第１挿入孔に挿入される挿入部を有し、前記パネルの裏面側で前記パネル側または前記シャシ側に取付けられる挿入孔突出部品と、
前記第１挿入孔と前記挿入部との間に形成された空隙に挿入され、前記パネルの表面側に係止される第１係止部、前記第１係止部から突出されて前記第１挿入孔を貫通し、前記挿入部との間に前記パネルの面方向の第２調整用空隙を形成し、内部に前記挿入部が挿入可能な第２挿入孔が形成されるとともに、前記パネルの厚さ方向に沿う複数位置のいずれかの選択位置で前記パネル側、前記挿入孔突出部品側、前記シャシ側のうちの一つに設けられた被係止部に係止される第２係止部、前記第１係止部側に設けられて前記第２調整用空隙を覆う内側カバー部を有するカバー部材とを備えたことを特徴とする電子機器装置。
【請求項５】
前記被係止部と前記第２係止部とが係止突起同士で、または係止突起と係止穴とで係止可能であり、前記被係止部と前記第２係止部とのうちの少なくとも一方が前記パネルの厚さ方向に沿う複数の係止突起または複数の係止穴を備えたことを特徴とする請求項４に記載の電子機器装置。
【請求項６】
前記内側カバー部が、前記挿入孔突出部品に接触することを特徴とする請求項４又は請求項５に記載の電子機器装置。
【請求項７】
電子部品が取り付けられたシャシと、
前記シャシの表面側に取り付けられ、第１挿入孔が形成されたパネルと、
前記第１挿入孔に挿入される挿入部を有し、前記パネルの裏面側で前記パネル側または前記シャシ側に取付けられる挿入孔突出部品と、
前記第１挿入孔と前記挿入部との間に形成された空隙に挿入され、前記パネルの表面側に係止される第１係止部、前記第１係止部から突出されて前記第１挿入孔を貫通し、前記第１挿入孔の周壁との間に前記パネルの面方向の第１調整用空隙を、また前記挿入孔突出部品の前記挿入部との間に前記パネルの面方向の第２調整用空隙をそれぞれ形成し、内部に前記挿入部が挿入可能な第２挿入孔が形成されるとともに、前記パネルの厚さ方向に沿う複数位置のいずれかの選択位置で前記パネル側、前記挿入孔突出部品側、前記シャシ側のうちの一つに設けられた被係止部に係止される第２係止部、前記第１係止部側に設けられて前記第１調整用空隙を覆う外側カバー部、前記第１係止部側に設けられて前記第２調整用空隙を覆う内側カバー部を有するカバー部材とを備えたことを特徴とする電子機器装置。
【請求項８】
前記被係止部と前記第２係止部とが係止突起同士で、または係止突起と係止穴とで係止可能であり、前記被係止部と前記第２係止部とのうちの少なくとも一方が前記パネルの厚さ方向に沿う複数の係止突起または複数の係止穴を備えたことを特徴とする請求項７に記載の電子機器装置。
【請求項９】
前記外側カバー部が、前記パネルに接触することを特徴とする請求項７又は請求項８に記載の電子機器装置。
【請求項１０】
前記内側カバー部が、前記挿入孔突出部品に接触することを特徴とする請求項７乃至請求項９のいずれかに記載の電子機器装置。
【発明の詳細な説明】
【０００１】
【発明の属する技術分野】
本発明は、スイッチ等を設けたパネルを有する電子機器装置に関する。
【０００２】
【従来の技術】
従来、この種の電子機器装置は、フロントパネルのコネクタ挿入孔と、フロントパネルの背面から挿入されるコネクタと、上記とは別のコネクタ挿入孔が設けられてフロントパネルのコネクタ挿入孔を表面からカバーする外観カバーとを備え、外観カバーのコネクタ挿入孔がパネルのコネクタ挿入孔よりも小さくされ、外観カバーの裏面には一対の爪部が設けられてフロントパネルのコネクタ挿入孔に挿入さることにより、外観カバーをフロントパネルに係止していた（例えば、特許文献１参照。）。
【０００３】
【特許文献１】
特開２００１−４３９３５号公報（第７−８頁、第４図）
【０００４】
【発明が解決しようとする課題】
しかし、このような従来の電子機器装置では、フロントパネルの厚みが変化したりコネクタとフロントパネルの取付け位置が成形上や組み立て上のばらつき等に起因して前後方向にずれたときにはフロントカバーがその爪部の傾斜および弾性変形によりフロントパネルに対し若干前後方向へ移動してずれを吸収可能であるものの、外観カバーがフロントパネルに対し面方向に相対移動できないため、コネクタをフロントカバーに取付けることができなくなってしまうという問題があった。
本発明はこのような問題を解決するためになされたもので、成形上や組み付け上のばらつきに起因して挿入孔突出部品とパネルとの取付け位置が本来の位置から前後上下左右方向のいかなる方向にずれたとしても、これらを確実に組み付けて係止することができ、かつそのとき生じた挿入孔突出部品とパネルとの間の調整用空隙を覆うことが可能な電子機器装置を提供する。
【０００５】
【課題を解決するための手段】
本発明の電子機器装置は、電子部品が取り付けられたシャシと、シャシの表面側に取り付けられ、第１挿入孔が形成されたパネルと、第１挿入孔に挿入される挿入部を有し、パネルの裏面側でパネル側またはシャシ側に取付けられる挿入孔突出部品と、第１挿入孔と挿入部との間に形成された空隙に挿入され、パネルの表面側に係止される第１係止部、第１係止部から突出されて第１挿入孔を貫通し、第１挿入孔の周壁との間に前記パネルの面方向の第１調整用空隙を形成し、内部に挿入部が挿入可能な第２挿入孔が形成されるとともにパネルの厚さ方向に沿う複数位置のいずれかの選択位置でパネル側、挿入孔突出部品側、シャシ側のうちの一つに設けられた被係止部に係止される第２係止部、第１係止部側に設けられて第１調整用空隙を覆う外側カバー部を有するカバー部材とを備えた構成を有している。
【０００６】
この構成により、成形上や組み付け上のばらつきに起因して挿入孔突出部品とパネルとの取付け位置が本来の位置から前後上下左右方向のいかなる方向にずれたとしても、これらを確実に組み付けて係止することができ、かつそのとき生じた挿入孔突出部品とパネルとの間の調整用空隙を覆うことが可能な電子機器装置を提供することができる。
【０００７】
また、本発明の電子機器装置は、被係止部と第２係止部とが係止突起同士、または係止突起と係止穴とで係止可能であり、被係止部と第２係止部とのうちの少なくとも一方がパネルの厚さ方向に沿う複数の係止突起または複数の係止穴を備えた構成を有している。
【０００８】
この構成により、パネルと挿入孔突出部品とがパネルの厚さ方向に異なる位置にあっても、カバー部材の第２係止部と被係止部とを係止でき、この場合、係止突起同士、または係止突起と係止穴とで係止するので、その係止力が係止位置によってほとんど変化せず、ほぼ一定した係止力で両者を確実に固定することができる。
【０００９】
また、本発明の電子機器装置は、外側カバー部が、パネルに接触する構成を有している。
【００１０】
この構成により、外側カバー部がカバー部材とパネルとの間に生じた第１調整用空隙を隙間なしに覆うことが可能となるので、この第１調整用空隙から塵等が電子機器装置の内部に侵入するのを阻止できるとともに第１調整用空隙がパネルの表側から見えずその見栄えを良くすることが可能となる。また、第１係止部の機能を外側カバー部に兼用させることも可能となる。
【００１１】
また、本発明の電子機器装置は、電子部品が取り付けられたシャシと、シャシの表面側に取り付けられ、第１挿入孔が形成されたパネルと、第１挿入孔に挿入される挿入部を有し、パネルの裏面側でパネル側またはシャシ側に取付けられる挿入孔突出部品と、第１挿入孔と挿入部との間に形成された空隙に挿入され、パネルの表面側に係止される第１係止部、第１係止部から突出されて第１挿入孔を貫通し、挿入部との間にパネルの面方向の第２調整用空隙を形成し、内部に挿入部が挿入可能な第２挿入孔が形成されるとともに、パネルの厚さ方向に沿う複数位置のいずれかの選択位置でパネル側、挿入孔突出部品側、シャシ側のうちの一つに設けられた被係止部に係止される第２係止部、第１係止部側に設けられて第２調整用空隙を覆う内側カバー部を有するカバー部材とを備えた構成を有している。
【００１２】
この構成により、成形上や組み付け上のばらつきに起因して挿入孔突出部品とパネルとの取付け位置が本来の位置から前後上下左右方向のいかなる方向にずれたとしても、これらを確実に組み付けて係止することができ、かつそのとき生じた挿入孔突出部品とパネルとの間の調整用空隙を覆うことが可能な電子機器装置を提供することができる。
【００１３】
また、本発明の電子機器装置は、被係止部と第２係止部とが係止突起同士、または係止突起と係止穴とで係止可能であり、被係止部と第２係止部とのうちの少なくとも一方がパネルの厚さ方向に沿う複数の係止突起または複数の係止穴を備えた構成を有している。
【００１４】
この構成により、パネルと挿入孔突出部品とがパネルの厚さ方向に異なる位置にあっても、カバー部材の第２係止部と被係止部とを係止でき、この場合、係止突起同士、または係止突起と係止穴とで係止するので、その係止力が係止位置によってほとんど変化せず、両者をほぼ一定した係止力で確実に固定することができる。
【００１５】
また、本発明の電子機器装置は、内側カバー部が、挿入孔突出部に接触する構成を有している。
【００１６】
この構成により、内側カバー部がカバー部材と挿入孔突出部との間に生じた第２調整用空隙を隙間なしに覆うことが可能となるので、この第２調整用空隙から塵等が電子機器装置の内部に侵入するのを阻止できるとともに、パネルの表側から第２調整用空隙が見えずその見栄えを良くすることが可能となる。
【００１７】
また、本発明の電子機器装置は、電子部品が取り付けられたシャシと、シャシの表面側に取り付けられ、第１挿入孔が形成されたパネルと、第１挿入孔に挿入される挿入部を有し、パネルの裏面側でパネル側またはシャシ側に取付けられる挿入孔突出部品と、第１挿入孔と挿入部との間に形成された空隙に挿入され、パネルの表面側に係止される第１係止部、第１係止部から突出されて第１挿入孔を貫通し、第１挿入孔の周壁との間にパネルの面方向の第１調整用空隙を、また前記挿入部との間にパネルの面方向の第２調整用空隙をそれぞれ形成し、内部に挿入部が挿入可能な第２挿入孔が形成されるとともに、パネルの厚さ方向に沿う複数位置のいずれかの選択位置でパネル側、挿入孔突出部品側、シャシ側のうちの一つに設けられた被係止部に係止される第２係止部、第１係止部側に設けられて第１調整用空隙を覆う外側カバー部、第１係止部側に設けられて第２調整用空隙を覆う内側カバー部を有するカバー部材とを備えた構成を有している。
【００１８】
この構成により、成形上や組み付け上のばらつきに起因して挿入孔突出部品とパネルとの取付け位置が本来の位置から前後上下左右方向のいかなる方向にずれたとしても、これらを確実に組み付けて係止することができ、かつそのとき生じた挿入孔突出部品とパネルとの間の調整用空隙を覆うことが可能な電子機器装置を提供することができる。
【００１９】
また、本発明の電子機器装置は、被係止部と第２係止部とが係止突起同士、または係止突起と係止穴とで係止可能であり、被係止部と第２係止部とのうちの少なくとも一方がパネルの厚さ方向に沿う複数の係止突起または複数の係止穴を備えた構成を有している。
【００２０】
この構成により、パネルと挿入孔突出部品とがパネルの厚さ方向に異なる位置にあっても、カバー部材の第２係止部と被係止部とを係止でき、この場合、係止突起同士、または係止突起と係止穴とで係止するので、その係止力が係止位置によってほとんど変化せず、両者をほぼ一定した係止力で確実に固定することができる。
【００２１】
また、本発明の電子機器装置は、外側カバー部が、パネルに接触する構成を有している。
【００２２】
この構成により、外側カバー部がカバー部材とパネルとの間に生じた第１調整用空隙を隙間なしに覆うことが可能となるので、この第１調整用空隙から塵等が電子機器装置の内部に侵入するのを阻止できるとともに第１調整用空隙がパネル表面側見えずその見栄えを良くすることが可能となる。また、第１係止部の機能を外側カバー部に兼用させることも可能となる。
【００２３】
また、本発明の電子機器装置は、内側カバー部が、挿入孔突出部に接触する構成を有している。
【００２４】
この構成により、内側時カバー部がカバー部材と挿入孔突出部との間に生じた第２調整用空隙を隙間なしに覆うことが可能となるので、この第２調整用空隙から塵等が電子機器装置の内部に侵入するのを阻止できるとともに第２調整用空隙がパネルの表面側から見えずその見栄えを良くすることが可能となる。
【００２５】
【発明の実施の形態】
以下、本発明の実施の形態について、図面を用いて説明する。
図１は、本発明の第１の実施の形態の電子機器装置１００の分解斜視図を示す。なお、電子機器装置１００は、ここでは車両に搭載する電子機器装置であるものとする。
同図に示すように、本発明の第１の実施の形態の電子機器装置１００は、シャシ４０と、シャシ４０に取り付けられた電子部品４１（ここでは、複数の電子部品のうち１個のみ代表的に記載している。）と、使用者から見える電子機器装置１００の外観となり、第１挿入孔１ａが形成されたパネル１と、第１挿入孔１ａに挿入可能で、使用者が操作するための釦２ｅが内蔵された挿入部２ｂを有するスイッチ（挿入孔突出部品）２と、挿入部２ｂが挿入される第２挿入孔３ｄを有するとともにパネル１の第１挿入孔１ａに挿入されてこの周縁部分をパネル１の表面側から覆うカバー部材３とを備えている。
【００２６】
次に、上記電子機器装置１００の各構成部品につき、より詳細に説明する。
パネル１は、プラスティックや木材等を用いてその表面に化粧を施した薄板から形成し、電子機器装置１００の表面側に配置する。パネル１には、スイッチ２の挿入部２ｂが挿入可能な長方形状の第１挿入孔１ａを形成してある。この第１挿入孔１ａは、挿入部２ｂの外形より大きく設定して、これらの間にはパネル１の面方向の空隙が生じるようにしてある。すなわち、第１挿入孔１ａは、図２に示すようにスイッチ２の挿入部２ｂを挿入した取付け状態では、パネル１やスイッチ２の成形上や取付け上のばらつきに起因して、第１挿入孔１ａと挿入部２ｂとの位置がパネル１の面方向へ本来の位置からずれたとしても、挿入部２ｂが第１挿入孔１ａに挿入可能な大きさ、形状に設定する。
一方、パネル１の裏面には、第１挿入孔１ａの周辺部分の４カ所からそれぞれパネル１の面に垂直な方向に突出し、かつねじ穴を設けた取付支柱部１ｂを形成してあり、この取付支柱部１ｂを利用してスイッチ２を取付け可能とする。
なお、このパネル１は、車体（図示せず）側に固定する。
【００２７】
スイッチ２は、４つのねじ穴２ｄを有する平板状の基部２ａと、これらのねじ穴２ｄに囲まれた基部２ａの部分からパネル１側に向けて突出するとともにその両側面にパネル１の面方向外側へ突出した係止突起（被係止部）２ｃを形成した角柱状の挿入部２ｂと、挿入部２ｂに押し込み可能に内蔵されて電気接点の開閉を行うための釦２ｅとを備えている。
スイッチ２の基部２ａは、ねじ穴２ｄがパネル１の取付支柱１ｂの端面にそれぞれ合わされてパネル１から所定距離だけ離間された位置で、ねじ（図示せず）で固定してある。
このスイッチ２をパネル１に固定した状態では、図２に示すように、スイッチ２の挿入部２ｂがパネル１の第１挿入孔１ａとカバー部材３の第２挿入孔３ｄとに挿入され、かつ釦２ｅが第１挿入孔１ａおよび第２挿入孔３ｄからパネル１の表面側へ突出する。
【００２８】
カバー部材３は、第２挿入孔３ｄが形成されその外縁が第２挿入孔３ｄからパネル１の面方向の外側へ向けて張り出された外カバー部３ａと、外カバー部３ａの裏面からスイッチ２の基部２ａ側に向けて垂直に突出された２本の係止片３ｂとを備えている。
第２挿入孔３ｄは、この大きさがスイッチ２の挿入部２ｂよりわずかに大きくなるように設定する。外カバー部３ａは、カバー部材３がスイッチ２に係止された状態で、第１挿入孔１ａの周縁部分より外側まで伸びてこの部分を覆うことが可能な大きさに設定してある。なお、この外側カバー部３ａは、裏面がパネル１の表面に接触してカバー部材３のパネル１の裏面側への移動を阻止するように機能し、本発明の外側カバー部と第１係止部との両方の機能を兼ね備える。
【００２９】
２つの係止片３ｂは、これらの先端側に互いに向き合いようにして内側に突出し、かつ係止片３ｂの延長方向に沿って配列した複数の係止突起（第２係止部）３ｃを有するように形成する。ここで、係止突起３ｃとスイッチ２の係止突起２ｃとは、係止可能な斜面を有する形状とする。すなわち、この斜面は、カバー部材３とスイッチ２とが近接する方向の相対移動時では、両者間の係止力が弱く相対移動しやすく、また逆にこれら両者が離間する方向の相対移動では、両者間の係止力が強くなって通常の外力では移動不可となるように傾斜度や傾斜の向きなどを有するような形状に設定する。
【００３０】
図２は、上記電子機器装置１００のパネル１とスイッチ２との間にカバー部材３を取付けた状態を拡大して示した断面図である。なお、図２では、スイッチ２がパネル１の第１挿入孔１ａに対し本来の位置から図中左方へずれた状態で取付けられたケースを示し、図１の下方から見上げた視点で描いてある。
この図から分かるように、スイッチ２とカバー部材３とをパネル１に組み付けるには、まずパネル１の第１挿入孔１ａ内に、パネル１の裏面側からスイッチ２の挿入部２ｂを挿入し、この状態でスイッチ２の基部２ａをパネル１に固定する。この結果、パネル１の第１挿入孔１ａの周壁１ｃとスイッチ２の挿入部２ｂとの間には、空隙が形成される。
【００３１】
次いで、カバー部材３の第２挿入孔３ｄ内にスイッチ２の挿入部２ｂが入るようにカバー部材３をスイッチ２に対して位置決めした後、カバー部材３の係止片３ｂをパネル１の表側からその裏側に向けて上記空隙内に挿入して移動させていく。そうすると、カバー部材３に設けた２つの係止片３ｂの係止突起３ｃが、順次その先端側の係止突起からスイッチ２の係止突起２ｃに当たりながらこれを乗り越えて進む。そして、カバー部材３の外側カバー部３ａがパネル１の表面に当接し係止される位置で、カバー部材３の移動が停止される。この状態が図２に示す状態であり、係止突起３ｃと係止突起２ｃとは、この停止位置で最終的に係止され、カバー部材３が第１挿入孔１ａから抜け出すのを阻止するようになる。
【００３２】
この状態では、外側カバー部３ａがパネル１の表面に当接することによって係止され、係止突起３ｃがスイッチ２の係止突起２ｃに係止されるので、カバー部材３は、パネル１とスイッチ２とに対し位置決めされる。このとき、成形上や取付け上のばらつきにより、スイッチ２がパネル１の第１挿入孔１ａの中心から図２中左側にずれた位置で取り付けられているので、カバー部材１もパネル１の第１挿入孔１ａの中心より左方へずれることとなる。この結果、カバー部材３の図中左側の係止片３ｂとパネル１の第１挿入孔１ａの図中左側周壁１ｃとの間には図中左側の第１調整用空隙６１が生じ、カバー部材３の図中右側の係止片３ｂとパネル１の第１挿入孔１ａの図中右側周壁１ｃとの間には、左側の第１調整用空隙６１より大きい右側の第１調整用空隙６２が生じる。
このようにしてずれ調整のために生じた左側の第１調整用空隙６１と右側の１調整用空隙６２とは、パネル１の表面側からカバー部材３がその外側カバー部３ａで覆う結果、使用者から見えないようになる。なお、カバー部材３の第２挿入孔３ｄの周壁とスイッチ２の挿入部２ｂとの間の空隙は、あらかじめ小さく設定されているので、成形上や取付上のばらつきがあったとしても、使用者からみて気になる大きさとはならない。
【００３３】
以上説明したように、本発明の第１の実施の形態の電子機器装置１００は、パネル１の第１挿入孔１ａを左側の第１調整用空隙６１と右側の第１調整用空隙６２との分だけ、第１挿入孔１ａに挿入されるカバー部材３の係止片３ｂより大きく設定したので、スイッチ２が本来の位置からパネル１の面方向のずれた位置でパネル１に取り付けられた場合にも、スイッチ２をパネル１の第１挿入孔１ａに挿入し、かつこれらの間に生じた空隙にカバー部材３をも挿入することが可能となり、この場合、外側カバー部３ａでこの係止片３ｂとパネル１の第１挿入孔１ａの周壁１ｃとの間に生じた左側の第１調整用空隙６１と右側の第１調整用空隙６２とをパネル１の表面側から覆うことが可能となる。この結果、スイッチとパネルとの間の調整用空隙が使用者からみえず、その見栄えが良くなる。
【００３４】
また、外側カバー部材３ａをパネル１の表面に当接するようにしているので、塵等が上記左右側の第１調整用空隙６１、６２から電子機器装置１００の内部へ侵入するのを防ぐことが可能となるとともに、外側カバー部３ａをパネル１に係止のための第１係止部としても兼用させることが可能である。
また、カバー部材３の係止突起３ｃがパネル１の厚さ方向に複数個設けて、このうちから選択した係止突起３ｃをスイッチ２の係合突起２ｃに係止させることができその係止力がほとんど変化しないので、スイッチ２とパネル１とがパネル１の厚さ方向へずれて取付けられた場合でも、カバー部材３をパネル１とスイッチ２とに確実に係止することが可能となる。
【００３５】
図３および図４は、本発明の第２の実施の形態の電子機器装置電子機器２００の要部を示す。なお、図３は、本発明の第２の実施の形態の電子機器装置電子機器２００の要部（スイッチは図示を省略してある。）のパネル１の裏面から見た分解斜視図を、また図４は本発明の第２の実施の形態の電子機器装置電子機器２００を組み立てた状態を拡大した断面図をそれぞれ示している。
この第２の実施の形態の電子機器装置２００は、第１の実施の形態の電子機器装置１００のようにカバー部材３をパネル１とスイッチ２とに係止する代わりに、パネル１の裏面側に係止部材３２を配置してカバー部材３１を係止するようにしてカバー部材３１をパネル１のみに係止するようにした点が異なる。
【００３６】
このため、第１の実施の形態の電子機器装置１００とは異なり、スイッチ２側には係止突起２ｃを設けない。
一方、カバー部材３１は、本発明の第１係止部を兼用する外側カバー部３１ａと、外側カバー部材３１ａから垂直方向に突出され、第２挿入孔３１ｄおよび外側へ向けて突出する複数の係止突起（第２係止部）３１ｃが設けられた係止片３１ｂとを備えている。
係止部材３２は、カバー部材３１の係止突起３１ｃに係止可能に内側へ向けた係止突起（被係止部）３２ｃ、および第３挿入孔３２ｂが設けられパネル１の裏面に当接可能な当接部３２ａを備えている。なお、この係止部材３２は、パネル１に対し、この面に沿う方向に相対移動可能であり、位置決め後に後述するように当接部３２ａをパネル１ａの裏面に押圧してそれらの間の摩擦力で係止可能としてある。
【００３７】
上記第２の実施の形態の電子機器装置２００は、以下のように組み立てる。
すなわち、まず、スイッチ２の挿入部２ｂを係止部材３２の第３挿入孔３２ｂに挿入して貫通させる。この状態でスイッチ２の挿入部２ａをパネル１の裏面からパネル１の第１挿入孔１ａへ挿入して、スイッチ２の基部２ａを第１の実施の形態の電子機器装置１００と同様にパネル１にねじ等で固定する。続いて、カバー部材３１の第２挿入孔３１ｄにスイッチ２の挿入部２ａが入るようにカバー部材３１をスイッチ２に位置決めする。
【００３８】
上記位置決めが済んだら、パネル１の表側から裏側へ向けて、カバー部材３１の係止片３１ｂを第１挿入孔１ａの周壁とスイッチ２の挿入部２ｂと間の空隙へ挿入しながら移動させていく。カバー部材３の外側カバー部３１ａがパネル１の表面に当接して係止されたら、係止部材３２をスイッチ２の挿入部２ｂに沿ってパネル１の裏面に向けて移動させていく。この移動中、係止部材３２は、その係止突起３２ｃがカバー部材３１の係止突起３１ｃを順次その先端側の係止突起から乗り越えながら移動し、最終的にその当接部３２ａがパネル１の裏面に当接して停止する。
【００３９】
この状態で、カバー部材３１は、この外側カバー部３１ａとパネル１の表面との係止と、係止突起３１ｃおよび係止突起３２ｃの係止と当接部３２ａとパネル１の裏面との圧接とにより、パネル１をこの表面、裏面から挟んだ状態でパネル１に係止される。また、カバー部材３１および係止部材３２は、スイッチ２の取付け位置に応じてパネル１の第１挿入孔１ａに対しパネル１の面に沿って相対移動した位置で係止される。そして、この場合、図２の場合と同様に、パネル１の第１挿入孔１ａの図中左側周壁とカバー部材３１の係止片３１ｂの図中左側面との間に第１調整用空隙６１が、またパネル１の第１挿入孔１ａの図中右側周壁とカバー部材３１の係止片３１ｂの図中右側面との間に第１調整用空隙６２がそれぞれ形成される。これらの左右側の第１調整用空隙６１、６２とは、パネル１の表側からカバー部材３１の外側カバー部３１ａにより覆われる。
【００４０】
以上のように、本発明の第２の実施形態の電子機器装置２００は、第１の実施形態の電子機器装置１００の場合と同様の効果を得ることが可能となる。また、上記効果に加え、本実施の形態の電子機器装置２００では、係止部材３２を介してカバー部材３１をパネル側のみで係止させ、スイッチ側の係止を不要とすることが可能となる。
【００４１】
図５は、本発明の第３の実施の形態の電子機器装置３００の断面を示す。
この本発明の第３の実施の形態の電子機器装置３００は、本発明の挿入孔突出品として第１の実施の形態の電子機器装置１００の押し込み釦式スイッチ２に代えジョイステック２０を用いた点、およびカバー部材３が外側カバー部３ａに加え半径方向内側に伸びる内側カバー部３ｆを有し、かつその形状や大きさを若干変えてある点が、電子機器装置１００と相違する。
【００４２】
すなわち、円形の第１挿入孔１ａを設けたパネル１の裏面には、取付支柱部１ｂを設け、この取付支柱部１にジョイステック２０の基部２０ａの合わせ突起２０ｄを嵌め合わせてねじ７０でこれらを結合する。
ジョイスティック２０は、平面状の基部２０ａに固定され電気接点等を有する本体部２０ｅと、本体部２０ｅからこれに対し傾動可能に突出するシャフト２０ｆと、シャフト２０ｆの先端に取付けられた操作部２０ｇと、基部２０ａに固定され本体部２０ｅやシャフト２０ｆを覆う挿入部２０ｂとを備えている。なお、挿入部２０ｂの基部２０ａ側には、図中左右に１個づつ外側へ向けて突出した係止突起（被係止部）２０ｃを設けてある。
【００４３】
カバー部材３は、係止片３ｂの図中上端側（パネル１の表面側に突出する側）には、係止片３ｂからパネル１の面に沿って半径方向外側へ突出する外側カバー部３ａと半径方向内側へ突出する内側カバー部３ｆとを設けるとともに、係止片３ｂの図中下端側には、挿入部２０ｂの係止突起２０ｃと係止可能でパネル１の厚さ方向に沿った複数の係止突起（第２係止部）３ｃを設けてある。
【００４４】
ここで、外側カバー部３ａは、カバー部材３がジョイスティック２０の挿入部２０ｂの外側面とパネル１の第１挿入孔１ａの周壁との間に形成された空隙内のいかなる位置にあっても、カバー部材３の係止片３ｂの外側面と第１挿入孔１ａの周壁との間に形成される図中左右の両方の第１調整用空隙６１、６２をパネル１の表面側から覆うことができる大きさに設定してある。また、内側カバー部３ｆは、カバー部材３がジョイスティック２０の挿入部２０ｂとパネル１の第１挿入孔１ａの周壁との間に形成された空隙のいかなる位置にカバー部材３があっても、カバー部材３の係止片３ｂの内側面とジョイスティック２０の挿入部２０ｂの外周壁との間に形成される図中左右の両方の第２調整用空隙６３、６４をパネル１の表面側から覆うことができる大きさに設定してある。
【００４５】
上記第３の実施の形態の電子機器装置３００は、以下のように組み立てる。
すなわち、ジョイスティック２０は、その挿入部２０ｂをパネル１の裏側から第１挿入孔１ａに挿入し、基部２０ａの合わせ突起２０ｄをパネル１の取付支柱部１ｂの先端に当ててねじ７０でパネル１に固定する。このとき第１挿入孔１ａの周壁と挿入部２０ｂとの間に形成された空隙に、カバー部材３の係止片３ｂをパネル１の表側から裏側へ向けて挿入し移動させていく。
【００４６】
この移動にしたがって、カバー部材３は、その係止片３ｂの係止突起３ｃが順次その先端側の係止突起からジョイスティック２０の係止突起２０ｃを乗り越えながら進み、最終的にその外側カバー部３ａがパネル１の表面に当接して係止する。そして、係止突起３ｃのうちこの当接時に係止突起２０ｃに係止している係止突起を挿入部２０ｂに係止し、かつ上記外側カバー部３ａをパネル１に係止することでにより、カバー部材３をパネル１にこの厚さ方向へ移動不能に係止する。
【００４７】
この状態では、内側カバー部３ｆとジョイスティック２０の挿入部２０ｂの図中上端部との間にパネル１の厚さ方向にわずかな隙間が形成されるとともに、カバー部材３とパネル１との間およびカバー部材３とジョイスティック２０との間に、それぞれ図中左右の第１調整用空隙６１、６２、図中左右の第２調整用空隙６３、６４が形成される。また、カバー部材３は、外側カバー部３ａが図中左右の第１調整用空隙６１、６２を、また内側カバー部３ｆが図中左右の第２調整用空隙６３、６４をパネル１の表面側から覆う。
【００４８】
以上のように、本発明の第３の実施の形態の電子機器装置３００は、第１の実施形態の電子機器装置１００の場合と同様の効果を得ることが可能となる。また、上記効果に加え、カバー部材３の外側と内側とに第１調整用空隙（左側の第１調整用空隙６１と右側の第１調整用空隙６２）と第２調整用空隙（左側の第２調整用空隙６３と右側の第２調整用空隙６４）とが形成されるようにしたので、カバー部材３の配置位置の自由度を増やすことができるとともに、上記調整用空隙を覆うのに係止片３ｂからそれぞれ外側と内側に伸ばした外側カバー部３ａと内側カバー部３ｆとを用いるので、第１や第２の実施の形態のように長いカバー部を設けるものよりもそれぞれを短くでき強度を向上させることができる。
【００４９】
なお、本発明は、上記実施の形態に限られることなく、以下のような修正や変更が可能である。
すなわち、上記各実施の形態では、カバー部材３、３１の係止突起３ｃ、３１ｃと係止相手の係止突起２ｃ、２０ｃ、３２ｃとは、前者が複数の係止突起で後者が１個の係止突起としたが、この逆としてもよく、あるいは両方とも複数の係止突起としてもよい。
また、カバー部材３、３１の係止突起３ｃ、３１ｃと係止相手の係止突起２ｃ、２０ｃ、３２ｃとは、両方とも係止突起としたが、一方のみを係止突起とし、他方を係止突起を係止可能な係止穴としてもよい。
【００５０】
さらに、外側カバー部３ａを第１係止部としてこれにパネル１への係止機能を持たせたが、外側カバー部３ａとは別にカバー部材３にパネル１に接触する第１係止部を形成して外側カバー部３ａとパネル１との間に若干の隙間が形成されるようにしてもよい。
また、カバー部材３、３１の外側カバー部３ａ、３１ａや内側カバー部３ｆを弾性部材で構成し、カバー部材３、３１のパネル１等への係止時に外側カバー部３ａ、３１ａや内側カバー部３ｆが円錐台状に傾斜するようにしてもよい。
また、第１係止部は、外側カバー部３ａと兼用されていると否とにかかわらず、カバー部材３がパネル１の裏面側へ所定以上押し込まれた場合にその移動を阻止するように機能すればよく、取付時にカバー部材３へパネル１の表側へ押圧力を作用させるようにしなくてもよい。
【００５１】
さらに、挿入孔突出部は、スイッチ２やジョイスティック２０以外の部品であってもよいし、また電気部品以外の部品でもよい。
また、挿入孔突出部は、パネル１に固定したが、シャシ４０側に固定するようにしてもよい。
また、パネル１は、車体側に固定したが、これに限られず、シャシ４０等へ固定するようにしてもよい。
また、電子機器装置は、車両用搭載電子機器装置に限られず、家庭用電気機器装置等であってもよい。
【００５２】
【発明の効果】
以上説明したように、本発明はパネルの挿入孔とこれに挿入孔突出部品をパネルの面方向へ相対移動可能に挿入し、これらの間に形成される空隙にカバー部品を挿入して、このとき生じた調整用空隙をそのカバー部で覆うとともに、複数の突起のいずれかによってカバー部材をパネル厚さ方向に調整してパネル側や挿入孔突出部品側に係止することにより、パネルや挿入孔突出部品等の成形上、取付け上のばらつきに起因して挿入孔突出部品とパネルとの取付け位置が本来の位置から前後上下左右方向のいかなる方向にずれたとしても、確実に取付けることができ、かつそのとき生じた挿入孔突出部品とパネルとの間の調整用空隙を覆うことができるというすぐれた効果を有する電子機器装置を提供することができる。
【図面の簡単な説明】
【図１】本発明の第１の実施の形態の電子機器装置を示す分解斜面図
【図２】図１の電子機器装置を組み立てた状態の拡大断面図
【図３】本発明の第２の実施の形態の電子機器装置を示す分解斜面図
【図４】図２の電子機器装置を組み立てた状態の拡大断面図
【図５】本発明の第３の実施の形態の電子機器装置を示す断面図
【符号の説明】
１  パネル
１ａ  第１挿入孔
２、２０  挿入孔突出部品
２ａ、２０ａ  基部
２ｂ、２０ｂ  挿入部
２ｃ、２０ｃ  係止突起
３、３１  カバー部材
３ａ、３１ａ  外側カバー部
３ｃ、３１ｃ  係止突起
３１ｆ  内側カバー部
３２  係止部材
３２ｃ  係止突起
４０  シャシ
４１  電子部品
６１、６２  第１調整用空隙
６３、６４  第２調整用空隙
【図１】
2004281876.tif 000003
【図２】
2004281876.tif 000004
【図３】
2004281876.tif 000005
【図４】
2004281876.tif 000006
【図５】
2004281876.tif 000007